(57)【要約】流体管連接装置は、管継ぎ手（６）上に締め付けられるスリーブ部材（１）が内歯止めリング（３）と押しリングギヤ（２）を管継ぎ手（６）とスリーブ部材（１）内に取り付け、管路が連接された時、スリーブ部材（１）、押しリングギヤ（２）と内歯止めリング（３）が管路に通された後に、内歯止めリング（３）が管壁（７）に係止され、管を外す前に、押しリングギヤ（２）が管路挿入方向に沿って内歯を押して内歯止めリング（３）が管壁（７）を緩めるようになり、押しリングギヤ（２）とスリーブ部材（１）の間がスライド接触になり、管路連接状態で、押しリングギヤ（２）の頂端がスリーブ部材（１）に略一致し、または、スリーブ部材（１）内に引っ込んで、内歯が押しリングギヤ（２）に押される時に、押しリングギヤ（２）の頂端がスリーブ部材（１）内に引っ込むようになる。本発明はまた該装置用の管外し工具を公開し、該工具のハンドルにスリーブ部材（１）と管壁（７）との間に伸びて押しリングギヤ（２）を押す頂部（１３）が連接されている。
2011526992.tif 000002
【特許請求の範囲】
【請求項１】
流体管連接装置であって、管継ぎ手（６）を含み、管継ぎ手（６）上に締め付けられるスリーブ部材（１）により内歯止めリング（３）と押しリングギヤ（２）が管継ぎ手（６）とスリーブ部材（１）内に取り付けられ、管路が連接された時、スリーブ部材（１）、押しリングギヤ（２）と内歯止めリング（３）が管路に通された後に、内歯止めリング（３）が管壁（７）に係止され、管を外す前に、押しリングギヤ（２）が管路挿入方向に沿って内歯を押して内歯止めリング（３）が管壁（７）を緩めるようになり、押しリングギヤ（２）とスリーブ部材（１）間がスライド接触になっており、
管路連接状態で、押しリングギヤ（２）の頂端とスリーブ部材（１）が略一致し、または、スリーブ部材（１）内に引っ込んでおり、内歯が押しリングギヤ（２）により押される時、押しリングギヤ（２）の頂端がスリーブ部材（１）内に引っ込むようになっていることを特徴とする流体管連接装置。
【請求項２】
請求項１に記載の流体管連接装置用の管外し工具であって、ハンドル（１２）を含み、ハンドル（１２）には、スリーブ部材（１）と管壁（７）との間に伸びて押しリングギヤ（２）を押す頂部（１３）が連接されていることを特徴とする管外し工具。
【請求項３】
管継ぎ手（６）係止用の止め具（１１）と、該止め具（１１）に連接される固定ハンドル（１０）と、を含むことを特徴とする請求項２に記載の管外し工具。
【請求項４】
頂部（１３）のハンドルが可動ハンドル（１２）として固定ハンドル（１０）にヒンジ連接されていることを特徴とする請求項３に記載の管外し工具。
【請求項５】
可動ハンドル（１２）が止め具（１１）の後方に位置し、固定ハンドル（１０）が頂部（１３）の後方に位置し、頂部（１３）と可動ハンドル（１２）の間の連接方式として、
レバーを設け、その支点（１５）が固定ハンドル（１０）にヒンジ連接され、支点（１５）の前が前記頂部（１３）に連接され、支点（１５）の後がレバー後部（１４）であり、
可動ハンドル（１２）上にプッシュロッド（１７）を連接し、可動ハンドル（１２）がレバー後部（１４）に近づく時に、プッシュロッド（１７）がレバー後部（１４）を押して頂部（１３）を止め具（１１）に近づけ、
連接レバー後部（１４）と可動ハンドル（１２）に連接される２つのコネクティングロッド（１８）を更に設け、可動ハンドル（１２）がレバー後部（１４）に離れる時に、２つのコネクティングロッド（１８）がレバー後部（１４）を引き、頂部（１３）が止め具（１１）に離れるようになり、同時にプッシュロッド（１７）が後退するようになっていることを特徴とする請求項４に記載の管外し工具。
【請求項６】
レバー後部（１４）に複数の外歯（１６）が配列され、前記プッシュロッド（１７）が可動ハンドル（１２）にヒンジ連接され、プッシュロッド（１７）がその内の１つの外歯（１６）を押し当てて頂部（１３）のストロークを制御することを特徴とする請求項５に記載の管外し工具。
【発明の詳細な説明】
【技術分野】
【０００１】
本発明は、流体管連接装置及び該装置用の管外し工具に関する。
【背景技術】
【０００２】
特許文献１では、水または気体等の流体を引導して流動させる流体管連接装置（特許文献１では、「水または気体管連接装置」と称する）を開示し、該装置は、管継ぎ手と管継ぎ手に締め付けられるスリーブ部材を含み、スリーブ部材が管路に通された後に管壁外をカバーする。内歯有り止めリング（特許文献１では、「内歯締め付けリング３」と称する）と押しリングギヤ（特許文献１では、「起動と停止リング２」と称する）が管継ぎ手とスリーブ部材内に取り付けられる。連接時に、管路がスリーブ部材と押しリングギヤを通した後に、外へ内歯を押して内歯止めリングを通し、管継ぎ手に連接する。柔らかいプラスチックチューブであると、連接後、内歯前端が少し管壁に嵌め入れられる。鉄管またはステンレス鋼管であると、管壁に凹部を設け、内歯前端を管内凹部に係合させる。銅管であると、凹部を設ける必要がない。取り外す時に、押しリングギヤから管路挿入方向に沿って内歯後部を押して内歯前端を緩めることが必要とし、管壁がチューブを取り出すようになっている。
【０００３】
特許文献１に記載の押しリングギヤ外壁とスリーブ部材内壁がねじ山で連接され、押しリングギヤ頂部に凹位を設ける。管を外す時に、専用のホックレンチが凹位を引っ掛けて管軸に沿って回転し、押しリングギヤが内歯止めリングの内歯を押すようにし、チューブを取り外した後に、反対方向に回転して、押しリングギヤを後退させて内歯を原位置に戻す。該押しリングギヤとスリーブ部材がねじ山で連接される構造には２つの欠点がある。その１：管を外す時に、ホックレンチで押しリングギヤの凹位を係合して正回転し管を外し、そして逆回転してリセットする必要があるため、動作が複雑である。その２：押しリングギヤがスリーブ部材内の奥部にて内歯を押す時に、その頂部がホックレンチに引っかかるように、管路を外す前の長期使用過程に、押しリングギヤの頂部がずっとスリーブ部材外に突出する必要があり、これで押しリングギヤの頂部が破損し易く、ぶつけて損傷し易く、順調な管外しが難しくなる。
【先行技術文献】
【特許文献】
【０００４】
【特許文献１】中国特許出願番号ＣＮ２００３１０１０１２０２．７
【発明の概要】
【発明が解決しようとする課題】
【０００５】
本発明の目的は、管を外す動作が複雑である問題を解決するとともに、押しリングギヤの頂部が破損しやすく、ぶつけて損傷する問題を解決することにある。
【課題を解決するための手段】
【０００６】
本発明による流体管連接装置は、管継ぎ手を含み、管継ぎ手上に締め付けられるスリーブ部材が内歯止めリングと押しリングギヤを管継ぎ手とスリーブ部材内に取り付け、管路が連接された時、スリーブ部材、押しリングギヤと内歯止めリングが管路に通された後に、内歯止めリングが管壁に係止され、管を外す前に、押しリングギヤが管路挿入方向に沿って内歯を押して内歯止めリングが管壁を緩めるようになり、押しリングギヤとスリーブ部材間がスライド接触し、管路の連接状態で、押しリングギヤの頂端がスリーブ部材に略一致しまたはスリーブ部材内に引っ込んで、内歯が押しリングギヤに押される時に、押しリングギヤの頂端がスリーブ部材内に引っ込むようになる。
【０００７】
本発明では更に本発明の流体管連接装置用の管外し工具を開示し、該工具は、ハンドルを含み、ハンドルにはスリーブ部材と管壁との間に伸びて押しリングギヤを押す頂部が連接されていることを特徴とする。
【０００８】
本発明の押しリングギヤとスリーブ部材との間がスライド接触であるため、管を外す時、軸向移動して押しリングギヤが内歯を押すことができ、押しリングギヤを回転する必要がなく、管路を取り出した後に、内歯が押しリングギヤに押された後の変形状態になり、使用者が押しリングギヤを緩めると、内歯の変形弾力が押しリングギヤを原位置に押し、内歯も自動的にリセットされる。特許文献１がねじ山で連接されるため、管を外す時に、まずホックレンチで押しリングギヤの凹位回転を係止し、内歯を押して管壁に離れ管を外す。チューブを外した後に、ホックレンチを逆方向に回転して押しリングギヤを後退させ、内歯を原位置に戻し、自動リセットができなくなっている。本発明の動作が比較的に便利である。管路の連接状態で、本発明の流体管連接装置の押しリングギヤの頂端がスリーブ部材に略一致しまたはスリーブ部材内に引っ込み、押しリングギヤの頂部が露出しなくなるため、破損しにくくなり、且つ、ぶつけて損害しにくくなる。
【０００９】
本発明の流体管連接装置に配合するように、本発明に開示される管外し工具には頂部を設け、それがスリーブ部材と管壁との間に伸びて、内歯が押されるように押しリングギヤを押して内歯止めリングが管壁を緩めようになり、これで管路を取り出す。
【図面の簡単な説明】
【００１０】
【図１】外密封式の流体管連接装置の立体分解図である。
【図２】外密封式の流体管連接装置の組立図である。
【図３】第１種の管外し工具を示す図である。
【図４】第２種の管外し工具を示す図である。
【図５】第２種の管外し工具の斜視図である。
【図６】内密封式の流体管連接装置の立体分解図である。
【図７】内密封式の流体管連接装置の組立図である。
【発明を実施するための形態】
【００１１】
図１、図２は外密封式の流体管連接装置を示し、該装置は、スリーブ部材１、押しリングギヤ２、内歯止めリング３、支持リング４、密封リング５及び管継ぎ手６を含む。スリーブ部材１が管継ぎ手６内に入り、シール工具により閉められ、又は、その他の方式により締め付けられ、これにより、押しリングギヤ２、内歯止めリング３、支持リング４と密封リング５等の部品を管継ぎ手６とスリーブ部材１内に包み、内歯止めリング３が支持リング４上に設置され、支持リング４の下方が密封リング５である。押しリングギヤ２とスリーブ部材１との間はスライド接触する。管路が連接する状態で、押しリングギヤ２の頂端がスリーブ部材１に略一致し、図２に示すようになっている。押しリングギヤ２の頂端がスリーブ部材１内に引っ込んでもよい。
【００１２】
図３に示す第１種の管外し工具には、止め具１１に連接される固定ハンドル１０が設けられ、頂部１３に連接される可動ハンドル１２が設けられ、可動ハンドル１２と固定ハンドル１０が後部においてヒンジ連接されている。管を外す時に、まず、止め具１１を管継ぎ手６に締め付け、そして頂部１３を押しリングギヤ２の頂端に合って進入させ、そして２つのハンドルの中後部を握り、可動ハンドル１２を固定ハンドル１０に近付け、これで頂部１３が内歯を押すように押しリングギヤ２を押し、内歯止めリング３が管壁７を緩める。管外し工具が片手で動作するため、もう１つの手で管路を取り出すことができる。そして管外し工具を緩め、押しリングギヤ２が内歯の変形弾力に逆向押されて原位置に戻り、内歯も自動にリセットする。該管外し工具の可動ハンドル１２と固定ハンドル１０が簡単で且つ動作が便利なヒンジ連接方式を用いるが、２つのハンドルは互いに回転し、並進運動ではなく、押しリングギヤ２の管軸向移動が短いため、可動ハンドル１２が回転して固定ハンドル１０に近づく時に、頂部１３の管軸方向における移動量は、押しリングギヤ２が内歯を押すに十分な移動量になる。
【００１３】
管外し工具の可動ハンドル１２が固定ハンドル１０に連接されなくてもよい。管外し工具に、止め具１１と固定ハンドル１０を設けなくてもよく、その代わりに、手で管継ぎ手６を直接握ることにしてもよい。しかし、この場合、片手で動作しにくくなる。
【００１４】
管外し工具の頂部１３をもっと長くしてもよく、長くなる部分を可動ハンドル１２としてもいい。
【００１５】
図４、図５に示すように、第２種の管外し工具では、止め具１１が固定ハンドル１０に連接され、可動ハンドル１２が固定ハンドル１０にヒンジ連接され、可動ハンドル１２が止め具１１後方に位置し、固定ハンドル１０が頂部１３後方に位置し、頂部１３と可動ハンドル１２間の連接方式は以下である。
【００１６】
レバーを設け、その支点１５が固定ハンドル１０にヒンジ連接され、支点１５の前が前記頂部１３に連接され、支点１５の後がレバー後部１４である。
【００１７】
可動ハンドル１２上にプッシュロッド１７を連接し、可動ハンドル１２がレバー後部１４に近づく時に、プッシュロッド１７がレバー後部１４を押して頂部１３を止め具１１に近づける。
【００１８】
レバー後部１４と可動ハンドル１２に連接される２つのコネクティングロッド１８を更に設け、可動ハンドル１２がレバー後部１４に離れる時に、２つのコネクティングロッド１８がレバー後部１４を引き、頂部１３が止め具１１に離れるようになり、同時にプッシュロッド１７が後退する。該管外し工具が片手で動作してもよい。
【００１９】
図５のレバー後部１４に複数の外歯１６を配列し、前記プッシュロッド１７が可動ハンドル１２にヒンジ連接され、プッシュロッド１７がその内の１つの外歯１６を押し当てて頂部１３のストロークを制御する。プッシュロッド１７が異なる外歯１６を押し当てて、頂部１３のストロークも異なるようになり、ストロークを調節する役割を果たす。
【００２０】
図６、図７は内密封式の流体管連接装置を示し、該装置は、スリーブ部材１、押しリングギヤ２、内歯止めリング３、密封リング５及び管継ぎ手６を含む。管継ぎ手６外壁とスリーブ部材１内壁に互いに配合する凹部８、９を設け、スリーブ部材１の凹部８が管継ぎ手６の凹部９にずれて装着し、そしてスリーブ部材１を回転させて凹部８、９を互いに押し当てて締め付け、またその他の方式で締め付け、これで内歯止めリング３、押しリングギヤ２と密封リング５等の部品を管継ぎ手６とスリーブ部材１内に包む。押しリングギヤ２とスリーブ部材１間がスライド接触になっている。管路連接状態下で、押しリングギヤ２の頂端がスリーブ部材１に略一致し、図７に示すようになっている。内歯止めリング３がハウジングに直接設置されるため、支持リング４を設けなくてもよい。
【図１】
2011526992.tif 000003
【図２】
2011526992.tif 000004
【図３】
2011526992.tif 000005
【図４】
2011526992.tif 000006
【図５】
2011526992.tif 000007
【図６】
2011526992.tif 000008
【図７】
2011526992.tif 000009
【国際調査報告】
2011526992.tif 000010
2011526992.tif 000011
2011526992.tif 000012
2011526992.tif 000013
2011526992.tif 000014
2011526992.tif 000015